(57)【要約】      （修正有）【課題】クロストーク干渉を解決する電気コネクター及びその回路板を提供する。【解決手段】隣り合って設けられる２つの第１の接触コンタクト２１と、第１の接触コンタクトの反対する両方の外側にそれぞれ位置する２つの第２の接触コンタクト２２と、第１の接触コンタクト２１と第２の接触コンタクト２２を接続する複数の導電配線と、回路板内に埋設される第１の層状キャパシタ５１及び第２の層状キャパシタ５２とを含む。第１の層状キャパシタ５１は、共平面で間隔を空けて千鳥状に設けられる２つの第１の櫛歯状合わせ部５１１を含む。第２の層状キャパシタ５２は、共平面で間隔を空けて千鳥状に設けられる２つの第２の櫛歯状合わせ部５２１を含む。第１の櫛歯状合わせ部５１１は、互いに離れる一方の第１の接触コンタクト２１と一方の第２の接触コンタクト２２にそれぞれ電気的に結合される。第２の櫛歯状合わせ部５２１は、互いに離れる他方の第１の接触コンタクト２１と他方の第２の接触コンタクト２２にそれぞれ電気的に結合される。【選択図】図１０
0003219290.tif 000002
【実用新案登録請求の範囲】
【請求項１】
絶縁ハウジングと回路板とを備える電気コネクターであって、
前記絶縁ハウジングには合わせコネクターが挿設され、
前記回路板は、前記絶縁ハウジング内に位置されると共に、
前記回路板の一方の側に位置し、第１の差分信号を伝達するための２つの第１の接触コンタクト及び第２の差分信号を伝達するための２つの第２の接触コンタクトを含み、２つの前記第１の接触コンタクトが互いに隣り合って設けられ、２つの前記第２の接触コンタクトが２つの前記第１の接触コンタクトの反対する両方の外側にそれぞれ位置する複数の接触コンタクトと、
前記回路板の他方の側に位置する複数の固定コンタクトと、
一端が複数の前記接触コンタクトにそれぞれ接続され、他端が複数の前記固定コンタクトにそれぞれ接続される複数の導電配線と、
前記回路板内に埋設され、共平面で間隔を空けて千鳥状に設けられる２つの第１の櫛歯状合わせ部を含み、２つの前記第１の櫛歯状合わせ部が、互いに離れる一方の前記第１の接触コンタクトと一方の前記第２の接触コンタクトにそれぞれ電気的に結合される第１の層状キャパシタ、
前記回路板内に埋設され、共平面で間隔を空けて千鳥状に設けられる２つの第２の櫛歯状合わせ部を含み、２つの前記第２の櫛歯状合わせ部が、互いに離れる他方の前記第１の接触コンタクトと他方の前記第２の接触コンタクトにそれぞれ電気的に結合される第２の層状キャパシタ、
を含み、
前記絶縁ハウジング内に位置し、複数の前記接触コンタクトにそれぞれ接続され、前記合わせコネクターに当接するための複数の接触端子と、
前記絶縁ハウジングに固定され、複数の前記固定コンタクトにそれぞれ接続され、前記回路板によって複数の前記接触端子にそれぞれ電気的に接続できる複数の固定端子と、
を備えることを特徴とする、電気コネクター。
【請求項２】
前記回路板は、絶縁板体を含み、前記第１の層状キャパシタと前記第２の層状キャパシタは、前記絶縁板体内に埋設され、異なる２つの平面に位置することを特徴とする、請求項１に記載の電気コネクター。
【請求項３】
２つの前記第１の櫛歯状合わせ部毎は、第１の櫛歯状段、及び前記第１の櫛歯状段に繋がる第１の延在段を含み、２つの前記第１の櫛歯状段は、間隔を空けて千鳥状に設けられ、２つの前記第１の延在段は、対応する前記第１の接触コンタクトと対応する前記第２の接触コンタクトにそれぞれ接続され、
２つの前記第２の櫛歯状合わせ部毎は、第２の櫛歯状段、及び前記第２の櫛歯状段に繋がる第２の延在段を含み、２つの前記第２の櫛歯状段は、間隔を空けて千鳥状に設けられ、２つの前記第２の延在段は、対応する前記第１の接触コンタクトと対応する前記第２の接触コンタクトにそれぞれ接続されることを特徴とする、請求項１に記載の電気コネクター。
【請求項４】
前記第１の層状キャパシタと前記第２の層状キャパシタを前記回路板の板面に正投影する場合、２つの前記第１の櫛歯状段により形成される投影領域は、２つの前記第２の櫛歯状段により形成される投影領域から離間していて、
前記回路板は、前記第２の層状キャパシタと共平面にあるマッチングシートを含み、２つの前記第２の櫛歯状段は、完全に前記マッチングシートの内側に位置すると共に、前記マッチングシートに接触しておらず、
前記マッチングシートの内縁には、２つのノッチが形成され、複数の前記固定コンタクトにおける２つの前記固定コンタクトは、前記第２の層状キャパシタに接続される前記第１の接触コンタクトと前記第２の接触コンタクトにそれぞれ対向し、前記マッチングシートの２つの前記ノッチ内にそれぞれ位置することを特徴とする、請求項３に記載の電気コネクター。
【請求項５】
複数の前記接触コンタクトは、第３の差分信号を伝達するための２つの第３の接触コンタクト及び第４の差分信号を伝達するための２つの第４の接触コンタクトを含み、２つの前記第３の接触コンタクトは、２つの前記第２の接触コンタクトの一方の外側に位置し、２つの前記第４の接触コンタクトは、２つの前記第２の接触コンタクトの他方の外側に位置し、
前記回路板は、
前記回路板内に埋設され、共平面で間隔を空けて千鳥状に設けられ２つの第３の櫛歯状合わせ部を含み、２つの前記第３の櫛歯状合わせ部が、２つの前記第４の接触コンタクトから離れる一方の前記第３の接触コンタクトと一方の前記第２の接触コンタクトにそれぞれ電気的に結合される第３の層状キャパシタと、
前記回路板内に埋設され、共平面で間隔を空けて千鳥状に設けられ２つの第４の櫛歯状合わせ部を含み、２つの前記第４の櫛歯状合わせ部が、２つの前記第３の接触コンタクトから離れる一方の前記第４の接触コンタクトと他方の前記第２の接触コンタクトにそれぞれ電気的に結合される第４の層状キャパシタと、
を含むことを特徴とする、請求項１に記載の電気コネクター。
【請求項６】
前記回路板は、絶縁板体を含み、前記第１の層状キャパシタと前記第２の層状キャパシタは、前記絶縁板体内に埋設され、異なる２つの平面に位置し、
前記第１の層状キャパシタと前記第３の層状キャパシタは、同一の平面に位置し、前記第２の層状キャパシタと前記第４の層状キャパシタは、同一の平面に位置し、
前記第１の層状キャパシタと前記第４の層状キャパシタを前記回路板の板面に正投影する場合、前記第１の層状キャパシタにより形成される投影領域は、前記第４の層状キャパシタにより形成される投影領域の一部を覆い、
前記第２の層状キャパシタと前記第３の層状キャパシタを前記回路板の板面に正投影する場合、前記第２の層状キャパシタにより形成される投影領域は、前記第３の層状キャパシタにより形成される投影領域の一部を覆うことを特徴とする、請求項５に記載の電気コネクター。
【請求項７】
前記電気コネクターは、前記回路板のいずれの板面にいずれの電気素子も設けられていないことを特徴とする、請求項１に記載の電気コネクター。
【請求項８】
電気コネクターの回路板であって、その板面には、いずれのキャパシタも設けられておらず、
前記回路板は、
前記回路板の一方の側に位置し、第１の差分信号を伝達するための２つの第１の接触コンタクト及び第２の差分信号を伝達するための２つの第２の接触コンタクトを含み、２つの前記第１の接触コンタクトが互いに隣り合って設けられ、２つの前記第２の接触コンタクトが２つの前記第１の接触コンタクトの反対する両方の外側にそれぞれ位置する複数の接触コンタクトと、
前記回路板の他方の側に位置する複数の固定コンタクトと、
一端が複数の前記接触コンタクトにそれぞれ接続され、他端が複数の前記固定コンタクトにそれぞれ接続される複数の導電配線と、
前記回路板内に埋設され、共平面で間隔を空けて千鳥状に設けられる２つの第１の櫛歯状合わせ部を含み、２つの前記第１の櫛歯状合わせ部が、互いに離れる一方の前記第１の接触コンタクトと一方の前記第２の接触コンタクトにそれぞれ電気的に結合される第１の層状キャパシタと、
前記回路板内に埋設され、共平面で間隔を空けて千鳥状に設けられる２つの第２の櫛歯状合わせ部を含み、２つの前記第２の櫛歯状合わせ部が、互いに離れる他方の一方の前記第１の接触コンタクトと他方の前記第２の接触コンタクトにそれぞれ電気的に結合される第２の層状キャパシタと、
を含むことを特徴とする、電気コネクターの回路板。
【請求項９】
２つの前記第１の櫛歯状合わせ部毎は、第１の櫛歯状段、及び前記第１の櫛歯状段に繋がる第１の延在段を含み、２つの前記第１の櫛歯状段は、間隔を空けて千鳥状に設けられ、２つの前記第１の延在段は、対応する前記第１の接触コンタクトと対応する前記第２の接触コンタクトにそれぞれ接続され、
２つの前記第２の櫛歯状合わせ部毎は、第２の櫛歯状段、及び前記第２の櫛歯状段に繋がる第２の延在段を含み、２つの前記第２の櫛歯状段は、間隔を空けて千鳥状に設けられ、２つの前記第２の延在段は、対応する前記第１の接触コンタクトと対応する前記第２の接触コンタクトにそれぞれ接続されることを特徴とする請求項８に記載の電気コネクターの回路板。
【請求項１０】
前記回路板は、前記第２の層状キャパシタと共平面にあるマッチングシートを含み、２つの前記第２の櫛歯状段は、完全に前記マッチングシートの内側に位置すると共に、前記マッチングシートに接触しておらず、
前記マッチングシートの内縁には、２つのノッチが形成され、複数の前記固定コンタクトにおける２つの前記固定コンタクトは、前記第２の層状キャパシタに接続される前記第１の接触コンタクトと前記第２の接触コンタクトにそれぞれ対向し、前記マッチングシートの２つの前記ノッチ内にそれぞれ位置することを特徴とする、請求項９に記載の電気コネクターの回路板。
【考案の詳細な説明】
【技術分野】
【０００１】
本考案は、コネクターに関し、特に、電気コネクター及びその回路板に関する。
【背景技術】
【０００２】
従来の電気コネクターは、差分信号の伝達に用いられる場合、依然としてクロストーク干渉が生じるため、電気コネクターを小さいサイズに維持できるという前提で、電気コネクターにおけるクロストーク干渉をできるだけ消去することは、重要な課題の１つになってきた。即ち、速く発展している設計ニーズに対応するように、極めて限られたスペースで上記クロストーク干渉を解決するための手段を実施しなければならない。
【０００３】
そして、本考案者は、上記欠点が改良できると考え、鋭意に研究すると共に科学的原理を応用し、設計が合理で上記欠点が有効に改良された本考案を提出することに至った。
【考案の概要】
【考案が解決しようとする課題】
【０００４】
本考案の実施例は、従来の電気コネクターの回路板に生じ得る欠点を有効に改良できる電気コネクター及びその回路板を提供することにある。
【課題を解決するための手段】
【０００５】
本考案の実施例は、
合わせコネクターが挿設されるための絶縁ハウジングと、
上記絶縁ハウジング内に位置する回路板であって、
上記回路板の一方の側に位置し、第１の差分信号を伝達するための２つの第１の接触コンタクト及び第２の差分信号を伝達するための２つの第２の接触コンタクトを含み、２つの上記第１の接触コンタクトが互いに隣り合って設けられ、２つの上記第２の接触コンタクトが２つの上記第１の接触コンタクトの反対する両方の外側にそれぞれ位置する複数の接触コンタクト、
上記回路板の他方の側に位置する複数の固定コンタクト、
一端が複数の上記接触コンタクトにそれぞれ接続され、他端が複数の上記固定コンタクトにそれぞれ接続される複数の導電配線、
上記回路板内に埋設され、共平面で間隔を空けて千鳥状に設けられる２つの第１の櫛歯状合わせ部を含み、２つの上記第１の櫛歯状合わせ部が、互いに離れる一方の上記第１の接触コンタクトと一方の上記第２の接触コンタクトにそれぞれ電気的に結合される第１の層状キャパシタ、
上記回路板内に埋設され、共平面で間隔を空けて千鳥状に設けられる２つの第２の櫛歯状合わせ部を含み、２つの上記第２の櫛歯状合わせ部が、互いに離れる他方の上記第１の接触コンタクトと他方の上記第２の接触コンタクトにそれぞれ電気的に結合される第２の層状キャパシタ、
を含む回路板と、
上記絶縁ハウジング内に位置し、複数の上記接触コンタクトにそれぞれ接続され、上記合わせコネクターに当接するための複数の接触端子と、
上記絶縁ハウジングに固定され、複数の上記固定コンタクトにそれぞれ接続され、上記回路板によって複数の上記接触端子にそれぞれ電気的に接続できる複数の固定端子と、
を備える電気コネクターを開示した。
【０００６】
本考案の実施例は、電気コネクターの回路板であって、その板面には、いずれのキャパシタも設けられておらず、
上記回路板は、
上記回路板一方の側に位置し、第１の差分信号を伝達するための２つの第１の接触コンタクト及び第２の差分信号を伝達するための２つの第２の接触コンタクトを含み、２つの上記第１の接触コンタクトが互いに隣り合って設けられ、２つの上記第２の接触コンタクトが２つの上記第１の接触コンタクトの反対する両方の外側にそれぞれ位置する複数の接触コンタクトと、
上記回路板の他方の側に位置する複数の固定コンタクトと、
一端が複数の上記接触コンタクトにそれぞれ接続され、他端が複数の上記固定コンタクトにそれぞれ接続される複数の導電配線と、
上記回路板内に埋設され、共平面で間隔を空けて千鳥状に設けられ２つの第１の櫛歯状合わせ部を含み、２つの上記第１の櫛歯状合わせ部が、互いに離れる一方の上記第１の接触コンタクトと一方の上記第２の接触コンタクトにそれぞれ電気的に結合される第１の層状キャパシタと、
上記回路板内に埋設され、共平面で間隔を空けて千鳥状に設けられ２つの第２の櫛歯状合わせ部を含み、２つの上記第２の櫛歯状合わせ部が、互いに離れる他方の上記第１の接触コンタクトと他方の上記第２の接触コンタクトにそれぞれ電気的に結合される第２の層状キャパシタと、
を備える電気コネクターの回路板も開示した。
【０００７】
総じて言えば、本考案実施例により開示された電気コネクターは、その回路板内に第１の層状キャパシタと第２の層状キャパシタが埋設されることによって、第１の層状キャパシタと第２の層状キャパシタにより比較的大きいキャパシタ値が生じることに寄与し、更に、電気コネクター（又はその回路板）のサイズを拡大しないという前提下で、クロストーク干渉による影響を有効に低減させた。その中、本発明の実施例において、上記第１の層状キャパシタと第２の層状キャパシタのいずれも、互いに千鳥状に設けられる２つの櫛歯状合わせ部に限定され、これによって回路板の特性を安定化させ、その生産難しさを低減した。
【０００８】
本考案の特徴及び技術内容がより一層判るように、以下に本発明に関する詳細な説明と添付図面を参照するが、これらの説明と添付図面は本考案を説明するためのものに過ぎず、本考案の保護範囲を何ら限定するものではない。
【図面の簡単な説明】
【０００９】
【図１】本発明に係る電気コネクターの斜視模式図である。
【図２】図１の切断線ＩＩ−ＩＩに沿う断面を示す断面模式図である。
【図３】図１の分解模式図である。
【図４】本発明に係る電気コネクターの回路板、接触端子、及び固定端子の斜視模式図である。
【図５】図４において異なる視野角から見た斜視模式図である。
【図６】本発明に係る電気コネクターの回路板の斜視模式図である。
【図７】図６の切断線ＶＩＩ−ＶＩＩに沿う断面を示す断面模式図である。
【図８】図６の分解模式図（絶縁板体、接触コンタクト、及び固定コンタクトを略する）である。
【図９】図６の前面模式図である。
【図１０】図９において一部の絶縁板体及びその上の導電配線を略する平面模式図である。
【図１１】図６の後面模式図である。
【図１２】図１１における一部の絶縁板体及びその上の導電配線を略する平面模式図である。
【考案を実施するための形態】
【００１０】
図１〜図１２を参照する。図１〜図１２は、本考案の実施例である。先に説明するが、本実施例に対応する添付図面に言及された関連する数及び外形は、本考案の内容を理解するように、本考案の実施形態を具体的に説明するためのものに過ぎず、本考案の保護範囲を限定するものではない。
【００１１】
本実施例は、図１〜図３に示すように、電気コネクター、特に通信コネクター（例えば、ＲＪ４５コネクター）を開示したが、本考案はこれに制限されない。その中、上記電気コネクターは、絶縁ハウジング２００と、上記絶縁ハウジング２００内に位置する回路板１００と、上記絶縁ハウジング２００内に位置する複数の接触端子３００と、上記絶縁ハウジング２００に固定される複数の固定端子４００と、上記絶縁ハウジング２００外に被覆する金属シールドケース５００とを含む。
【００１２】
先に説明するが、本実施例に係る回路板１００は、上記関連素子と組み合わせて説明し、また、上記電気コネクターは、回路板１００のいずれの面にいずれのパッシブ電気素子（例えば、キャパシタ）が設置されていないことが好ましいが、本考案はこれに制限されない。例を挙げると、上記回路板１００は、単独で販売されてもよいし、他の素子と組み合わせて使用してもよい。以下、本実施例に係る電気コネクターの各素子構造及び接続関係をそれぞれ説明する。
【００１３】
図２に示すように、上記絶縁ハウジング２００の内部にはセパレータ２０１が含まれ、また、上記セパレータ２０１によって、上記絶縁ハウジング２００の内部が前チャンバ２０２と後チャンバ２０３に区切られる。その中、上記前チャンバ２０２の上方は、後チャンバ２０３の上方に連通でき（即ち、セパレータ２０１によって上記前チャンバ２０２の上方と後チャンバ２０３の上方を完全に隔てることはない。）、また、上記前チャンバ２０２は、後チャンバ２０３から離れる箇所に、合わせコネクター（図示せず）を前チャンバ２０２内に挿設するための挿接口が形成される。
【００１４】
本実施例において、上記回路板１００は、図２に示すように、上記絶縁ハウジング２００の後チャンバ２０３内に設けられると共に、その板面がほぼ上記セパレータ２０１に平行である。なお、本実施例の回路板１００の構成を便宜に理解するために、上記回路板１００の板面にいずれのソルダーレジスト層を設置することなく説明するが、本考案はこれに制限されない。即ち、本考案に描かれない実施例において、上記回路板１００の板面毎には、更にソルダーレジスト層が覆われる。また、本実施例において、図４〜図６を参照し、上記回路板１００については、互いに直交する長さ方向Ｌと幅方向Ｗと厚さ方向Ｔがそれぞれ定義され、これに基づいてその構成を後に説明する。
【００１５】
その中、上記回路板１００は、図６〜図８に示すように、絶縁板体１と、上記回路板１００の一方の側（例えば、図６における回路板１００の上側）に位置する複数の接触コンタクト２と、上記回路板１００の他方の側（例えば、図６における回路板１００の下側）に位置する複数の固定コンタクト３と、上記複数の接触コンタクト２と複数の固定コンタクト３を接続する複数の導電配線４と、上記回路板１００内に埋設される複数の層状キャパシタ５と、上記回路板１００内に埋設されるマッチングシート６とを含む。
【００１６】
更に説明すると、本実施例において、上記絶縁板体１は、上記複数の導電配線４が上記複数の層状キャパシタ５と異なる平面に位置できるように、多層状として構成される。本実施例において、上記複数の導電配線４が上記絶縁板体１の外層に位置し、上記複数の層状キャパシタ５が絶縁板体１の内層に位置するが、本考案はこれに制限されない。なお、上記絶縁板体１は、反対する両側にある第１の表面１１と第２の表面１２を有する。
【００１７】
本実施例において、上記複数の接触コンタクト２は、図６及び図７に示すように、上記幅方向Ｗに等間隔で一列に並べ、接触コンタクト２毎は、上記１つの接触端子３００が挿設されるように、チューブ状で（厚さ方向Ｔに）上記回路板１００を貫通する（例えば、接触コンタクト２毎は、厚さ方向Ｔに絶縁板体１内に設けられると共に、その両端が絶縁板体１の第１の表面１１と第２の表面１２にそれぞれ位置する。）が、本考案はこれに制限されない。例を挙げると、本考案に描かれない他の実施例において、上記接触コンタクト２と対応する接触端子３００との間の接続関係は、互いに分離可能に接触してもよいし、表面実装技術（ｓｕｒｆａｃｅ  ｍｏｕｎｔｉｎｇ  ｔｅｃｈｎｏｌｏｇｙ、ＳＭＴ）によって溶接されてもよい。
【００１８】
更に詳細に説明すると、本実施例において、上記複数の接触コンタクト２は、その信号伝達の差に基づいて４対の接触コンタクト２に分けられてもよく、即ち、上記４対の接触コンタクト２は、それぞれ異なる差分信号を伝達するためのものである。その中、上記複数の（又は、４対の）接触コンタクト２は、図９に示すように、第１の差分信号を伝達するための２つの第１の接触コンタクト２１と、第２の差分信号を伝達するための２つの第２の接触コンタクト２２と、第３の差分信号を伝達するための２つの第３の接触コンタクト２３と、第４の差分信号を伝達するための２つの第４の接触コンタクト２４とを含む。
【００１９】
なお、上記２つの第１の接触コンタクト２１は互いに隣り合って設けられると共に、上記複数の接触コンタクト２の中央に位置し、上記２つの第２の接触コンタクト２２は、上記２つの第１の接触コンタクト２１の反対する両方の外側（例えば、図９において、２つの第１の接触コンタクト２１の左側と右側）にそれぞれ位置し、上記２つの第３の接触コンタクト２３は、上記２つの第２の接触コンタクト２２の一方の外側（例えば、図９において、２つの第２の接触コンタクト２２の右側）に位置し、上記２つの第４の接触コンタクト２４は、上記２つの第２の接触コンタクト２２の他方の外側（例えば、図９において、２つの第２の接触コンタクト２２の左側）に位置する。
【００２０】
本実施例において、上記複数の固定コンタクト３は、図９に示すように、それぞれ幅方向Ｗに平行である２つの列に並べている。固定コンタクト３毎は、上記１つの固定端子４００が挿設されるように、チューブ状で（厚さ方向Ｔに）上記回路板１００を貫通する（例えば、固定コンタクト３毎は、厚さ方向Ｔに絶縁板体１内に設けられると共に、その両端が絶縁板体１の第１の表面１１と第２の表面１２にそれぞれ位置する。）が、本考案はこれに制限されない。例を挙げると、本考案に描かれない他の実施例において、上記固定コンタクト３と対応する固定端子４００との間の接続関係は、互いに分離可能に接触してもよいし、表面実装技術によって溶接されてもよい。
【００２１】
更に詳細に説明すると、本実施例において、上記複数の固定コンタクト３は、その信号伝達の差に基づいて４対の固定コンタクト３に分けられてもよく、即ち、上記４対の固定コンタクト３は、それぞれ異なる差分信号を伝達するためのものであり、また、本実施例において、固定コンタクト３の対毎は、異なる列にある２つの固定端子４００から構成される。その中、上記複数の（又は、４対の）固定コンタクト３は、第１の差分信号を伝達するための２つの第１の固定コンタクト３１と、第２の差分信号を伝達するための２つの第２の固定コンタクト３２と、第３の差分信号を伝達するための２つの第３の固定コンタクト３３と、第４の差分信号を伝達するための２つの第４の固定コンタクト３４とを含む。
【００２２】
更に詳細に説明すると、上記２つの第１の固定コンタクト３１は、互いに隣り合って設けられると共に、長さ方向Ｌに２つの第１の接触コンタクト２１にそれぞれ対向し、２つの第２の固定コンタクト３２は、大体で長さ方向Ｌに２つの第２の接触コンタクト２２にそれぞれ対向し、２つの第３の固定コンタクト３３は、大体で長さ方向Ｌに２つの第３の接触コンタクト２３にそれぞれ対向し、２つの第４の固定コンタクト３４は、大体で長さ方向Ｌに２つの第４の接触コンタクト２４にそれぞれ対向する。しかし、本実施例において、上記複数の固定コンタクト３は、大体で長さ方向Ｌに複数の接触コンタクト２にそれぞれ対向するが、本考案における複数の固定コンタクト３と複数の接触コンタクト２との間の位置対応関係は、これに制限されない。
【００２３】
上記複数の導電配線４は、図４及び図５に示すように、その一端（例えば、図４及び図５における導電配線４毎の先端）が上記複数の接触コンタクト２にそれぞれ接続され、その他端（例えば、図４及び図５における導電配線４毎の末端）が複数の固定コンタクト３にそれぞれ接続される。その中、本実施例において、上記複数の導電配線４は、図９及び図１１に示すように、上記２つの第１の接触コンタクト２１を２つの第１の固定コンタクト３１にそれぞれ結合する２つの第１の導電配線４１と、上記２つの第２の接触コンタクト２２を２つの第２の固定コンタクト３２にそれぞれ結合する２つの第２の導電配線４２と、上記２つの第３の接触コンタクト２３を２つの第３の固定コンタクト３３にそれぞれ結合する２つの第３の導電配線４３と、上記２つの第４の接触コンタクト２４を２つの第４の固定コンタクト３４にそれぞれ結合する２つの第４の導電配線４４とを含む。
【００２４】
更に詳細に説明すると、本実施例において、図９及び図１１に示すように、上記２つの第１の導電配線４１、２つの第３の導電配線４３、及び２つの第４の導電配線４４は、回路板１００における絶縁板体１の第１の表面１１に形成され、上記２つの第２の導電配線４２は、回路板１００における絶縁板体１の第２の表面１２に形成されるが、本考案はこれに制限されない。
【００２５】
本実施例において、上記複数の層状キャパシタ５は、図８及び図９に示すように、互いに類似した構造であり、例えば、層状キャパシタ５毎は、共平面で間隔を空けて千鳥状に設けられる２つの櫛歯状合わせ部を含むため、本実施例に係る層状キャパシタ５は、上記２つの櫛歯状合わせ部を含まない層状キャパシタをいずれも除外し、更に単独で適用できるキャパシタ素子を除外することが好ましい。なお、本考案に描かれない他の実施例において、複数の層状キャパシタ５は、類似でない構成であってもよい。
【００２６】
なお、本実施例において、上記複数の層状キャパシタ５は、全て絶縁板体１内に埋設され、また、いずれかの櫛歯状合わせ部（例えば、下記の第１の櫛歯状合わせ部５１１）の長さ方向Ｌに対応する長さは、いずれかの接触コンタクト２とその対応する固定コンタクト３と（例えば、第１の接触コンタクト２１とその対応する第１の固定コンタクト３１と）の間の距離の５０％〜８５％にある。
【００２７】
更に説明すると、図９及び図１０を参照し、又は図１１及び図１２を参照し、複数の層状キャパシタ５は、第１の層状キャパシタ５１と、第２の層状キャパシタ５２と、大体で上記第１の層状キャパシタ５１と同一の平面に位置する第３の層状キャパシタ５３と、大体で上記第２の層状キャパシタ５２と同一の平面に位置する第４の層状キャパシタ５４とを含む。なお、上記第１の層状キャパシタ５１と第２の層状キャパシタ５２は、それぞれ異なる２つの平面に位置する。その中、上記第１の層状キャパシタ５１と第３の層状キャパシタ５３は、上記絶縁板体１の第１の表面１１に隣接して位置し、第２の層状キャパシタ５２と第４の層状キャパシタ５４は、絶縁板体１の第２の表面１２に隣接して位置する。次に、上記複数の層状キャパシタ５と回路板１００における他の素子との間の接続関係を以下に説明する。
【００２８】
図９及び図１０を参照し、上記第１の層状キャパシタ５１は、共平面で間隔を空けて千鳥状に設けられる２つの第１の櫛歯状合わせ部５１１を含み、また、第２の層状キャパシタ５２は、共平面で間隔を空けて千鳥状に設けられる２つの第２の櫛歯状合わせ部５２１を含む。その中、上記２つの第１の櫛歯状合わせ部５１１は、互いに離れる一方の上記第１の接触コンタクト２１と一方の上記第２の接触コンタクト２２（例えば、図１０における複数の接触コンタクト２において、左から３番目と５番目）にそれぞれ電気的に結合され、上記２つの第２の櫛歯状合わせ部５２１は、互いに離れる他方の上記第１の接触コンタクト２１と他方の上記第２の接触コンタクト２２（例えば、図１０における複数の接触コンタクト２において、左から４番目と６番目）にそれぞれ電気的に結合される。
【００２９】
更に説明すると、上記２つの第１の櫛歯状合わせ部５１１毎は、第１の櫛歯状段５１１１、及び上記第１の櫛歯状段５１１１に繋がる第１の延在段５１１２を含み、２つの第１の櫛歯状段５１１１は間隔を空けて千鳥状に設けられ、２つの第１の延在段５１１２は、対応する上記第１の接触コンタクト２１と対応する上記第２の接触コンタクト２２にそれぞれ接続される。即ち、本実施例の２つの第１の櫛歯状合わせ部５１１は、対応する第１の接触コンタクト２１と第２の接触コンタクト２２に機構的に接続されることによって、互いの電気的結合を達成するが、本考案はこれに制限されない。
【００３０】
なお、上記２つの第２の櫛歯状合わせ部５２１毎は、第２の櫛歯状段５２１１、及び上記第２の櫛歯状段５２１１に繋がる第２の延在段５２１２を含み、２つの第２の櫛歯状段５２１１は間隔を空けて千鳥状に設けられ、２つの第２の延在段５２１２は、対応する上記第１の接触コンタクト２１と対応する上記第２の接触コンタクト２２にそれぞれ接続される。即ち、本実施例の２つの第２の櫛歯状合わせ部５２１は、対応する第１の接触コンタクト２１と第２の接触コンタクト２２に機構的に接続されることによって、互いの電気的結合を達成するが、本考案はこれに制限されない。
【００３１】
他方の角度から見れば、上記第１の層状キャパシタ５１と第２の層状キャパシタ５２を（厚さ方向Ｔに）上記回路板１００の板面に正投影する場合（例えば、図１０に示す）、上記２つの第１の櫛歯状段５１１１により形成される投影領域は、２つの第２の櫛歯状段５２１１により形成される投影領域から離間しているようになる。
【００３２】
図９及び図１０を参照し、又は図１１及び図１２を参照し、上記第３の層状キャパシタ５３は、共平面で間隔を空けて千鳥状に設けられる２つの第３の櫛歯状合わせ部５３１を含み、また、第４の層状キャパシタ５４は、共平面で間隔を空けて千鳥状に設けられる２つの第４の櫛歯状合わせ部５４１を含む。その中、上記２つの第３の櫛歯状合わせ部５３１は、２つの第４の接触コンタクト２４から離れる一方の上記第３の接触コンタクト２３と一方の上記第２の接触コンタクト２２（例えば、図１０における複数の接触コンタクト２において、左から６番目と８番目）にそれぞれ電気的に結合され、上記２つの第４の櫛歯状合わせ部５４１は、２つの第３の接触コンタクト２３から離れる一方の上記第４の接触コンタクト２４と他方の上記第２の接触コンタクト２２（例えば、図１０における複数の接触コンタクト２において、左から１番目と３番目）にそれぞれ電気的に結合される。
【００３３】
更に説明すると、上記２つの第３の櫛歯状合わせ部５３１毎は、第３の櫛歯状段５３１１、及び上記第３の櫛歯状段５３１１に繋がる第３の延在段５３１２を含み、２つの第３の櫛歯状段５３１１は、間隔を空けて千鳥状に設けられ、２つの第３の延在段５３１２は、対応する上記第３の接触コンタクト２３と対応する上記第２の接触コンタクト２２にそれぞれ接続される。即ち、本実施例の２つの第３の櫛歯状合わせ部５３１は、対応する第３の接触コンタクト２３と第２の接触コンタクト２２に機構的に接続されることによって、互いの電気的結合を達成するが、本考案はこれに制限されない。
【００３４】
なお、上記２つの第４の櫛歯状合わせ部５４１毎は、第４の櫛歯状段５４１１、及び上記第４の櫛歯状段５４１１に繋がる第４の延在段５４１２を含み、２つの第４の櫛歯状段５４１１は、間隔を空けて千鳥状に設けられ、２つの第４の延在段５４１２は、対応する上記第４の接触コンタクト２４と対応する上記第２の接触コンタクト２２にそれぞれ接続される。即ち，本実施例の２つの第４の櫛歯状合わせ部５４１は、対応する第４の接触コンタクト２４と第２の接触コンタクト２２に機構的に接続されることによって、互いの電気的結合を達成するが、本考案はこれに制限されない。
【００３５】
他方の角度から見れば、上記第１の層状キャパシタ５１と第４の層状キャパシタ５４を上記回路板１００の板面に正投影する場合（例えば、図１０に示す）、上記第１の層状キャパシタ５１により形成される投影領域は、上記第４の層状キャパシタ５４により形成される投影領域の一部を覆うようになる。上記第２の層状キャパシタ５２と第３の層状キャパシタ５３を上記回路板１００の板面に正投影する場合（例えば、図１０に示す）、上記第２の層状キャパシタ５２により形成される投影領域は、上記第３の層状キャパシタ５３により形成される投影領域の一部を覆うようになる。
【００３６】
これに基づいて、上記共平面で設けられる第１の層状キャパシタ５１や第３の層状キャパシタ５３は、共平面で設けられる第２の層状キャパシタ５２や第４の層状キャパシタ５４との間で厚さ方向Ｔに一定のキャパシタ効果が生じ得るこれによって、電気コネクタークにおけるロストーク干渉を更に低減させる効果を達成する。
【００３７】
また、上記第１の層状キャパシタ５１と第３の層状キャパシタ５３を上記絶縁板体１の第１の表面１１に正投影する場合（例えば、図９に示す）、上記第１の層状キャパシタ５１の２つの第１の櫛歯状段５１１１、及び第３の層状キャパシタ５３の２つの第３の櫛歯状段５３１１により形成される複数の投影領域は、上記２つの第１の導電配線４１の反対する両方の外側（例えば、図９において２つの第１の導電配線４１の左側と右側）にそれぞれ位置すると共に、２つの第３の導電配線４３と２つの第４の導電配線４４との間に位置するようになる。
【００３８】
上記回路板１００のマッチングシート６は、図１１及び図１２に示すように、絶縁板体１内に埋設されると共に、上記第２の層状キャパシタ５２（及び第４の層状キャパシタ５４）と共平面にある。その中、本実施例において、上記マッチングシート６はＵ形として構成され、上記２つの第２の櫛歯状段５２１１は完全に上記Ｕ形の構成内（又は、マッチングシート６の内側）に位置すると共に、上記マッチングシート６に接触しない。
【００３９】
なお、上記マッチングシート６の内縁には、上記複数の固定コンタクト３における２つの固定コンタクト３（例えば、図１２における複数の固定コンタクト３において、左から３番目と５番目）をそれぞれ収容するための２つのノッチ６１が形成され、上記第２の層状キャパシタ５２に接続される上記第１の接触コンタクト２１と上記第２の接触コンタクト２２にそれぞれ対向する。
【００４０】
他方の角度から見れば、上記マッチングシート６と複数の導電配線４を上記回路板１００の板面に正投影する場合（例えば、図１１に示す）、上記マッチングシート６により形成される投影領域は、２つの第１の接触コンタクト２１に接続される２つの上記導電配線４（即ち、２つの第１の導電配線４１）により形成される投影領域の少なくとも８０％を覆うようになる。
【００４１】
これに基づいて、上記回路板１００は、マッチングシート６により上記複数の層状キャパシタ５のキャパシタ値を調整でき、特に、上記第２の層状キャパシタ５２により対応して生じるキャパシタ値を比較的精確に制御できることによって、電気コネクターにおけるクロストーク干渉を有効に低減させる効果を達成する。
【００４２】
上記複数の接触端子３００は、図４及び図５に示すように、上記回路板１００の複数の接触コンタクト２にそれぞれ接続され、電気コネクターの前チャンバ２０２内に挿設される合わせコネクター（図示せず）に当接するためのものである。その中、本実施例において、上記接触端子３００毎は前チャンバ２０２内に位置し、また、複数の接触端子３００は、その一端がそれぞれ上記回路板１００の前側から挿通して複数の接触コンタクト２に固定され、その他端は、接触端子３００毎が前チャンバ２０２内に折曲状の弾性部を形成して上記合わせコネクター（図示せず）に当接するように、絶縁ハウジング２００内部のセパレータ２０１に位置決められる。
【００４３】
上記複数の固定端子４００は、図４及び図５に示すように、上記回路板１００の複数の固定コンタクト３にそれぞれ接続され、外回路板（図示せず）に固定されるためのものである。その中、本実施例において、上記固定端子４００毎は、大体で後チャンバ２０３内及び絶縁ハウジング２００の外に位置し、また、複数の固定端子４００は、回路板１００によって複数の接触端子３００に電気的に接続できるように、その一端がそれぞれ上記回路板１００の後側から挿通して複数の固定コンタクト３に固定される。また、複数の固定端子４００は、その他端が外回路板（図示せず）に固定されるためのものである。
【００４４】
[本考案実施例の技術効果]
総じて言えば、本考案実施例により開示された電気コネクターは、回路板１００内に第１の層状キャパシタ５１と第２の層状キャパシタ５２が埋設されることによって、第１の層状キャパシタ５１と第２の層状キャパシタ５２によって比較的大きいキャパシタ値が生じることに寄与し、更に、電気コネクター（又はその回路板１００）のサイズを拡大しないという前提下で、クロストーク干渉による影響を有効に低減させた。その中、本考案の実施例において、上記第１の層状キャパシタ５１と第２の層状キャパシタ５２のいずれも、互いに千鳥状に設けられる２つの櫛歯状合わせ部５１１、５２１に限定され、これによって回路板１００の特性を安定化させ、その生産難しさを低減した。
【００４５】
上述したのは本考案の好ましい実施可能な実施例に過ぎず、本考案の保護範囲を限定するためのものではなく、本考案の特許請求の範囲に基づき為された均等の変形と変更は、全て本考案の請求項の保護範囲に属するものとする。
【符号の説明】
【００４６】
１００    回路板
１    絶縁板体
１１    第１の表面
１２    第２の表面
２    接触コンタクト
２１    第１の接触コンタクト
２２    第２の接触コンタクト
２３    第３の接触コンタクト
２４    第４の接触コンタクト
３    固定コンタクト
３１    第１の固定コンタクト
３２    第２の固定コンタクト
３３    第３の固定コンタクト
３４    第４の固定コンタクト
４    導電配線
４１    第１の導電配線
４２    第２の導電配線
４３    第３の導電配線
４４    第４の導電配線
５    層状キャパシタ
５１    第１の層状キャパシタ
５１１    第１の櫛歯状合わせ部
５１１１    第１の櫛歯状段
５１１２    第１の延在段
５２    第２の層状キャパシタ
５２１    第２の櫛歯状合わせ部
５２１１    第２の櫛歯状段
５２１２    第２の延在段
５３    第３の層状キャパシタ
５３１    第３の櫛歯状合わせ部
５３１１    第３の櫛歯状段
５３１２    第３の延在段
５４    第４の層状キャパシタ
５４１    第４の櫛歯状合わせ部
５４１１    第４の櫛歯状段
５４１２    第４の延在段
６    マッチングシート
６１    ノッチ
２００    絶縁ハウジング
２０１    セパレータ
２０２    前チャンバ
２０３    後チャンバ
３００    接触端子
４００    固定端子
５００    金属シールドケース
Ｌ    長さ方向
Ｗ    幅方向
Ｔ    厚さ方向
【図１】
0003219290.tif 000003
【図２】
0003219290.tif 000004
【図３】
0003219290.tif 000005
【図４】
0003219290.tif 000006
【図５】
0003219290.tif 000007
【図６】
0003219290.tif 000008
【図７】
0003219290.tif 000009
【図８】
0003219290.tif 000010
【図９】
0003219290.tif 000011
【図１０】
0003219290.tif 000012
【図１１】
0003219290.tif 000013
【図１２】
0003219290.tif 000014